(57)【特許請求の範囲】
【請求項１】
遊技球が入賞可能な特定入賞口、および、扉部材によって開閉可能な入賞部材が遊技領域内に設けられているとともに、その特定入賞口に遊技球が入賞した場合に、一定回数の扉部材の開閉動作を所定のラウンド回数だけ断続的に繰り返す遊技機であって、
ラウンド回数を決定するためのラウンド回数振分決定装置が設けられており、
そのラウンド回数振分決定装置が、内部に入球した遊技球を、ラウンド回数を第一数値とする特定入賞口と、ラウンド回数を第一数値より小さくする非特定入賞口との何れかに導くものであり、
かつ、ラウンド回数振分決定装置内に、特定入賞口を非特定入賞口よりも多数設けた上段ステージ形成体および中段ステージ形成体からなる特定ステージと、非特定入賞口を特定入賞口より多数設けた非特定ステージである下段ステージ形成体とが設けられており、かつ、
入球した遊技球を特定ステージへ導くための第一誘導路と、入球した遊技球を下段ステージ形成体へ導くための第二誘導路とが設けられているとともに、
一旦、第二誘導路を介して下段ステージ形成体へ導かれた遊技球を、特定ステージである中段ステージ形成体へ導くための昇格手段が設けられており、なおかつ、
上段ステージ形成体に、下段ステージ形成体へ遊技球を導く通過口と特定入賞口とが設けられているとともに、中段ステージ形成体に、特定入賞口が設けられており、
上段ステージ形成体の通過口から下段ステージ形成体へ導かれた遊技球が、昇降手段によって中段ステージ形成体に導かれた後に中段ステージ形成体の特定入賞口に入賞し得ることを特徴とする遊技機。
【発明の詳細な説明】
【技術分野】
【０００１】
本発明は、パチンコ機やスロットマシーン等の遊技機に関するものである。
【背景技術】
【０００２】
従来、遊技機の一種であるパチンコ機として、特許文献１の如く、遊技球の流下路を振り分けるための振分装置を遊技盤面に設けたものが知られている。かかる特許文献１の振分装置は、モータによって一定のタイミングで回転する振分部材を備えており、遊技球が振分装置の進入口に進入すると、その遊技球が、回転している振分部材によって第１始動口または第２始動口の何れかに振り分けられるようになっている。
【先行技術文献】
【特許文献】
【０００３】
【特許文献１】特開２０１５−１２００６０号公報
【発明の概要】
【発明が解決しようとする課題】
【０００４】
しかしながら、上記特許文献１の如き振分装置を有するパチンコ機は、遊技球の流下路を振り分ける振分部材の作動内容が単純であるため、趣向性が低く、短期間の内に遊技者の遊技意欲を減退させてしまう、という不具合がある。
【０００５】
本発明の目的は、上記従来のパチンコ機の問題点を解消し、振分部材の作動内容が斬新で趣向性が高く、長期間に亘って遊技者の遊技意欲を高く保持することが可能な遊技機を提供することにある。
【課題を解決するための手段】
【０００６】
かかる本発明のうち、請求項１に記載の発明は、遊技球が入賞可能な特定入賞口、および、扉部材によって開閉可能な入賞部材が遊技領域内に設けられているとともに、その特定入賞口に遊技球が入賞した場合に、一定回数の扉部材の開閉動作を所定のラウンド回数だけ断続的に繰り返す遊技機であって、ラウンド回数を決定するためのラウンド回数振分決定装置が設けられており、そのラウンド回数振分決定装置が、内部に入球した遊技球を、ラウンド回数を第一数値とする特定入賞口と、ラウンド回数を第一数値より小さくする非特定入賞口との何れかに導くものであり、かつ、ラウンド回数振分決定装置内に、特定入賞口を非特定入賞口よりも多数設けた上段ステージ形成体および中段ステージ形成体からなる特定ステージと、非特定入賞口を特定入賞口より多数設けた非特定ステージである下段ステージ形成体とが設けられており、かつ、入球した遊技球を特定ステージへ導くための第一誘導路と、入球した遊技球を下段ステージ形成体へ導くための第二誘導路とが設けられているとともに、一旦、第二誘導路を介して下段ステージ形成体へ導かれた遊技球を、特定ステージである中段ステージ形成体へ導くための昇格手段が設けられており、なおかつ、上段ステージ形成体に、下段ステージ形成体へ遊技球を導く通過口と特定入賞口とが設けられているとともに、中段ステージ形成体に、特定入賞口が設けられており、上段ステージ形成体の通過口から下段ステージ形成体へ導かれた遊技球が、昇降手段によって中段ステージ形成体に導かれた後に中段ステージ形成体の特定入賞口に入賞し得ることを特徴とするものである。
【発明の効果】
【０００８】
請求項１に記載の遊技機は、ラウンド回数振分決定装置が、入球した遊技球を、ラウンド回数を大きな数値に決定する可能性の高い特定ステージへ導くための第一誘導路と、ラウンド回数を小さな数値に決定する可能性の高い非特定ステージへ導くための第二誘導路とを有しているとともに、 一旦、第二誘導路を介して非特定ステージへ導かれた遊技球を特定ステージへ導くための昇格手段を有しているため、趣向性が高く、遊技者の遊技意欲を長期間に亘って高く保持することができる。
【０００９】
また、請求項１に記載の遊技機は、昇格手段がラウンド回数振分決定装置内に入球した遊技球を下方から上方へ持ち上げる機構を有したものであるので、趣向性が非常に高く、遊技者の遊技意欲をきわめて長期間に亘って高く保持することができる。
【図面の簡単な説明】
【００１０】
【図１】パチンコ機の正面図である。
【図２】遊技盤の正面図である。
【図３】ラウンド回数振分決定装置の上段ステージ形成体（ａ）、中段ステージ形成体（ｂ）、下段ステージ形成体（ｃ）を示す説明図（平面図）である。
【発明を実施するための形態】
【００１１】
以下、本発明の遊技機の一実施形態であるパチンコ機について、図面に基づいて詳細に説明する。
【００１２】
＜遊技機の構成＞
図１は、本発明に係るパチンコ機を示したものであり、パチンコ機１は、周囲を覆う機枠２の片側縁に、前面枠３が、左端縁を中心として片開き自在に蝶着されている。当該前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。
【００１３】
また、前面枠３の中央よりやや上側には、遊技盤４が設置されており、その遊技盤４の前面には、透明なガラス板を嵌め込んだガラス扉９が、左端縁を中心として片開き自在に蝶着されている。図２は、遊技盤４を示したものであり、遊技盤４の表面には、金属製で帯状のガイドレール８が円弧状に立設されており、当該ガイドレール８によって、略円形の遊技領域１０が区画された状態になっている。
【００１４】
遊技領域１０には、略Ｔ字状の大型遊技部材１１が設置されており、その大型遊技部材１１の内部には、後述する「大当たり状態」生起時における一定回数の羽根部材１３，１３（扉部材）の開閉動作の繰り返し回数（ラウンド回数）を決定するための振分部材であるラウンド回数振分決定装置３９が設けられている。また、図２の如く、遊技領域１０には、大型遊技部材１１の他に、５５ａ，５５ｂ・・、電飾ランプ、風車等が設置されているとともに、多数の障害釘（図示せず）等が植設されている。
【００１５】
＜ラウンド回数振分決定装置の構成＞
大型遊技部材１１は、図２の如く、遊技盤面に対して直交するように設けられた一定幅の周壁体１２によって周囲が覆われている。そして、その周壁体１２によって内部と外部とが区分された状態になっている。また、大型遊技部材１１の上端際には、左右一対の扉部材である羽根部材１３，１３が設けられており、それらの羽根部材１３，１３が、下端際を中心として回動することによって、大型遊技部材１１の内部への入球（入賞）が可能になっている。
【００１６】
また、大型遊技部材１１の内部の上端際には、導球体１４が設けられており、その導球体１４の下方には、導球部材１５が設けられている。導球体１４は、断面Ｌ字状の壁体を左右対称に配置したものであり、中央に落下口１６が形成されている。また、導球部材１５は、屈曲状通路１７、クルーン１８、第一通路体１９、第二通路体２０、左転動部材２１、右転動部材２２等によって構成されている。クルーン１８は、下向きに凸な皿形状を有しており、前方に第一排出孔が穿設されており、後方に第二排出孔が穿設されている。
【００１７】
さらに、導球部材１５の下側には、液晶画面を有する図柄表示装置２３が設けられており、その図柄表示装置２３の左右には、それぞれ回転部材２４ａ，２４ｂが設けられている。それらの回転部材２４ａ，２４ｂは、遊技盤２の盤面に対して平行に配置された円板状の基台の表面に、遊技球を受け入れ可能な４つの長尺な筒状体２６ａ，２６ａ・・と４つの短尺な筒状体２６ｂ，２６ｂ・・とを設置したものである。そして、回転部材２４ａ，２４ｂは、駆動装置（図示せず）によって、基台の中心を軸として回転可能になっている。
【００１８】
加えて、図柄表示装置２３の下端際には、第一ステージ２７と第二ステージ２８とが、上下二段に併設されている。第一ステージ２７は、水平面を形成するように設けられており、当該水平面の中央に断面逆Ｕ字状のアーチ部材２９が、駆動装置（図示せず）によって回転可能に設けられている。また、そのアーチ部材２９の下側には、導出部材３０が設けられており、その導出部材３０の左右には、それぞれ、入賞口３１，３１が設けられている。
【００１９】
一方、第二ステージ２８も、第一ステージ２７と同様に、水平面を形成するように設けられている。そして、中央の前方に、Ｖ入賞口３２が設けられており、当該Ｖ入賞口３２の左右の後方には、それぞれ、入賞口３３，３３が設けられている。また、Ｖ入賞口３２の上方には、ガイド体３４が設けられている。
【００２０】
そして、左側の回転部材２４ａの前面の右下部と第一ステージ２７との間に、第一通路３５、第二通路３６が懸架されており、右側の回転部材２４ｂの前面の左下部と第一ステージ２７との間に、第三通路３７が懸架されており、右側の回転部材２４ｂの前面の左下部と第二ステージ２８との間に、第四通路３８が懸架されている。そして、第二ステージ２８の下側には、ラウンド回数振分決定装置３９が設けられている。
【００２１】
＜ラウンド回数振分決定装置の構造＞
ラウンド回数振分決定装置３９は、シーソー体４０、上段ステージ形成体４１、中段ステージ形成体４２、下段ステージ形成体４３、誘導路形成体４４、昇格手段である昇格機構４５等によって構成されている。また、誘導路形成体４４の左側は、ラウンド回数振分決定装置３９の内部へ入った遊技球を下段ステージ形成体４３へ導くための第二誘導路４６になっており、誘導路形成体４４の右上方は、ラウンド回数振分決定装置３９の内部へ入った遊技球を上段ステージ形成体４１へ導くための第一誘導路４７になっている。さらに、誘導路形成体４４の右下方は、上段ステージ形成体４１から排出された遊技球を下段ステージ形成体４３へ導くための第三誘導路４８になっている。
【００２２】
上段ステージ形成体４１、中段ステージ形成体４２、下段ステージ形成体４３は、径の異なる扁平な円柱状に形成されており、所定の距離を隔てて上下に同心円状に併設されている。なお、上段ステージ形成体４１、中段ステージ形成体４２、下段ステージ形成体４３の順に、径が大きくなっている。図３は、各ステージ形成体４１〜４３を示したものであり、上段ステージ形成体４１は、外周縁際に、３つの第一入賞口５１ａ，５１ａ・・と、３つの通過口５０，５０・・とが、等間隔で互い違いに設置されている。また、中段ステージ形成体４２は、外周縁際に、３つの第二入賞口４９，４９・・と、３つの第一入賞口５１ｂ，５１ｂ・・とが、等間隔で互い違いに設置されており、下段ステージ形成体４３は、外周縁際に、４つの第三入賞口５２，５２・・と、４つの通過口５３，５３・・とが、等間隔で互い違いに設置されている。そして、上段ステージ形成体４１の通過口５０，５０・・が、第三誘導路４８と連通した状態になっており、下段ステージ形成体４３の通過口５３，５３・・が、昇格機構４５の下端と連通した状態になっている。
【００２３】
さらに、それらのステージ形成体４１〜４３の後方に、昇格機構４５が鉛直に設けられている。昇格機構４５は、透明な合成樹脂によって形成された円筒状体（図示せず）の内部に、合成樹脂製の螺旋状帯体５４を、駆動装置（図示せず）によって回転可能に設けたものである。そして、螺旋状帯体５４を回転させることによって、下段ステージ形成体４３の通過口５３，５３・・から排出された遊技球を、中段ステージ形成体４２上へリフトアップすることができるようになっている。
【００２４】
＜遊技機の作動内容＞
上記の如く構成されたパチンコ機１においては、発射ハンドル７の回動操作によって発射装置（図示せず）から遊技球が発射され、発射された遊技球が入賞装置５５ａあるいは入賞装置５５ｂに入賞した場合に、２つの羽根部材１３，１３が、１回のみ観音開きの開成動作を実行する。そして、その羽根部材１３，１３の開成動作中にのみ、発射された遊技球は、大型遊技部材１１内へ入賞する（内部へ入り込む）ことが可能となる。
【００２５】
大型遊技部材１１内へ入賞した遊技球は、落下口１６から落下して、導球部材１５によってクルーン１８まで導かれる。クルーン１８に導かれた遊技球は、略皿状のクルーン１８の表面で円周状に転動して、前方の第一排出孔あるいは後方の第二排出孔からクルーン１８の下方へ流下する。
【００２６】
そして、前方の第一排出孔から落下した遊技球は、第一通路体１９によって右転動部材２２上へ導かれ、左右に転動した後、右転動部材２２の中央の凹部から、回転部材２４ｂの長尺の筒状体２６ａ，２６ａ・・あるいは短尺の筒状体２６ｂ，２６ｂ・・の何れかに導かれる。一方、後方の第二排出孔に入賞した遊技球は、第二通路体２０によって左転動部材２１上へ導かれ、左右に転動した後、左転動部材２１の中央の凹部から、回転部材２４ａの長尺の筒状体２６ａ，２６ａ・・あるいは短尺の筒状体２６ｂ，２６ｂ・・の何れかに導かれる。
【００２７】
さらに、右側の回転部材２４ｂの短尺の筒状体２６ｂ，２６ｂ・・の何れかに導かれた遊技球は、第三通路３７を通って、第一ステージ２７上に導かれる。そのように第一ステージ２７上に導かれた遊技球は、その一部のみが、回転しているアーチ部材２９の内部を通って下方へ導かれ、導出部材３０から流下してＶ入賞口３２に入り込む（入賞する）。一方、アーチ部材２９の内部へ入賞しなかった遊技球は、入賞口３１，３１の何れかに入り込んで、そのまま内部（遊技盤４の盤面の後方）へと回収される。そのように内部へ遊技球が回収されると、その遊技球が検知装置（図示せず）によって検知され、所定個数の遊技球が、賞品球として遊技球タンク（図示せず）から供給皿５へと払い出される。なお、パチンコ機１においては、第一ステージ２７上に導かれた遊技球は、アーチ部材２９よりも高い確率で入賞口３１，３１の何れかに入り込むように設計されている。
【００２８】
また、右側の回転部材２４ｂの長尺の筒状体２６ａ，２６ａ・・の何れかに導かれた遊技球は、第四通路３８を通って、第二ステージ２８上に導かれる。そのように第二ステージ２８上に導かれた遊技球は、その一部がＶ入賞口３２に入り込み（入賞し）、Ｖ入賞口３２へ入賞しなかった遊技球は、入賞口３３，３３の何れかに入り込んで、そのまま内部へと回収される。そのように内部へ遊技球が回収されると、所定個数の遊技球が賞品球として供給皿５へと払い出される。なお、パチンコ機１においては、第二ステージ２８上に導かれた遊技球は、入賞口３３，３３よりも高い確率でＶ入賞口３２に入り込むように設計されている。
【００２９】
一方、左側の回転部材２４ａの短尺の筒状体２６ｂ，２６ｂ・・の何れかに導かれた遊技球は、第一通路３５を通って、第一ステージ２７の上に導かれる。また、左側の回転部材２４ａの長尺の筒状体２６ａ，２６ａ・・の何れかに導かれた遊技球は、第二通路３６を通って、第一ステージ２７上に導かれる。そして、そのように第一ステージ２７上に導かれた遊技球は、その一部のみが、回転しているアーチ部材２９の内部を通って下方へ導かれ、導出部材３０から流下してＶ入賞口３２に入り込む。また、アーチ部材２９の内部へ入賞しなかった遊技球は、入賞口３１，３１の何れかに入り込んで、そのまま内部へと回収される。
【００３０】
そして、遊技球がＶ入賞口３２へ入り込むと、その入賞が入賞検知装置（近接センサ）によって検知されて、羽根部材１３，１３が一定回数（たとえば、１６回）の開成動作を所定回数（ラウンド回数）だけ繰り返す「大当たり状態」が生起する。また、Ｖ入賞口３２へ入り込んだ遊技球は、ラウンド回数振分決定装置３９に流下して、そのラウンド回数振分決定装置３９によって、ラウンド回数が決定される。
【００３１】
すなわち、遊技球がラウンド回数振分決定装置３９に流下すると、その遊技球は、シーソー体４０によって、右方向あるいは左方向に振り分けられる。そして、右方向に振り分けられた遊技球は、第一誘導路４７を通って、上段ステージ形成体４１へと導かれる。
【００３２】
上段ステージ形成体４１へと導かれた遊技球は、３つの第一入賞口５１ａ，５１ａ・・あるいは３つの通過口５０，５０・・の内の何れかに入り込む。そして、遊技球が３つの第一入賞口５１ａ，５１ａ・・の内の何れかに入り込むと、ラウンド回数が“１５”に決定される。一方、３つの通過口５０，５０・・の内の何れかに入り込んだ遊技球は、第三誘導路４８を通って下段ステージ形成体４３へと導かれる。
【００３３】
下段ステージ形成体４３へと導かれた遊技球は、４つの第三入賞口５２，５２・・あるいは４つの通過口５３，５３・・の内の何れかに入り込む。そして、遊技球が４つの第三入賞口５２，５２・・の内の何れかに入り込むと、ラウンド回数が“３”に決定される。一方、４つの通過口５３，５３・・の内の何れかに入り込んだ遊技球は、昇格手段である昇格機構４５の内部に入り込み、螺旋状帯体５４の回転動作に伴って上昇し、中段ステージ形成体４２へと導かれる。
【００３４】
中段ステージ形成体４２へと導かれた遊技球は、３つの第二入賞口４９，４９・・あるいは３つの第一入賞口５１ｂ，５１ｂ・・の内の何れかに入り込む。そして、遊技球が３つの第二入賞口４９，４９・・の内の何れかに入り込むと、ラウンド回数が“８”に決定される。一方、遊技球が３つの第一入賞口５１ｂ，５１ｂ・・の内の何れかに入り込むと、ラウンド回数が“１５”に決定される。
【００３５】
一方、シーソー体４０によって左方向に振り分けられた遊技球は、第二誘導路４６を通って、下段ステージ形成体４１へと導かれ、４つの第三入賞口５２，５２・・あるいは４つの通過口５３，５３・・の内の何れかに入り込む。そして、遊技球が４つの第三入賞口５２，５２・・の内の何れかに入り込むと、ラウンド回数が“３”に決定され、４つの通過口５３，５３・・の内の何れかに入り込むと、中段ステージ形成体４２へと導かれた後に、４つの第二入賞口４９，４９・・あるいは４つの第一入賞口５１ｂ，５１ｂ・・の内の何れかに入り込んで、ラウンド回数が“８”あるいは“１５”に決定される。
【００３６】
なお、遊技球が、最終的に、Ｖ入賞口３２、第二入賞口４９，４９・・、第一入賞口５１ａ，５１ａ・・、第一入賞口５１ｂ，５１ｂ・・、第三入賞口５２，５２・・に入り込むと（入賞すると）、その遊技球が入賞検知装置（図示せず）によって検知され、所定個数の遊技球が、賞品球として遊技球タンク（図示せず）から供給皿５へと払い出される。
【００３７】
そして、上記の如く、ラウンド回数が決定されると、羽根部材１３，１３が、一定回数（たとえば、１６回）の開成動作を、そのラウンド回数だけ繰り返す「大当たり状態」を生起させる。したがって、遊技者は、「大当たり状態」が発生した場合には、多くの遊技球を大型遊技部材１１の内部に入り込ませる（結果的に入賞させる）ことによって、多くの賞品球を獲得することができる。
【００３８】
また、ラウンド回数振分決定装置３９に流下した遊技球が、第三入賞口５２，５２・・の内の何れかへ入賞したとき（すなわち、ラウンド回数が“３”に決定されたとき）よりも第二入賞口４９，４９・・の内の何れかへ入賞したとき（すなわち、ラウンド回数が“８”に決定されたとき）の方が、多くの賞品球を獲得することが可能であり、遊技球が、第三入賞口５２，５２・・あるいは第二入賞口４９，４９・・の内の何れかへ入賞したときよりも第一入賞口５１ａ，５１ａ・・あるいは第一入賞口５１ｂ，５１ｂ・・の内の何れかへ入賞したとき（すなわち、ラウンド回数が“１５”に決定されたとき）の方が、多くの賞品球を獲得することが可能である。なお、一旦、「大当たり状態」が生起すると、その「大当たり状態」が終了するまで、上記したラウンド回数の決定は実行されない。
【００３９】
また、上記の如く、「大当たり状態」が生起したとき、および、ラウンド回数が決定されたときには、図柄表示装置２３の液晶画面において、動画等を利用して、その旨が遊技者に報知される。
【００４０】
＜遊技機の効果＞
パチンコ機１は、上記の如く、ラウンド回数振分決定装置３９が設けられており、そのラウンド回数振分決定装置３９が、内部へ入球した遊技球を、ラウンド回数を第一数値（“１５”あるいは“８”）とする特定入賞口（第一入賞口５１ａ，５１ａ・・、第一入賞口５１ｂ，５１ｂ・・、第二入賞口４９，４９・・）と、ラウンド回数を第一数値より小さくする非特定入賞口（第三入賞口５２，５２・・）との何れかに導くものであり、かつ、ラウンド回数振分決定装置３９内に、特定入賞口（第一入賞口５１ａ，５１ａ・・、第一入賞口５１ｂ，５１ｂ・・、第二入賞口４９，４９・・）を非特定入賞口（第三入賞口５２，５２・・）よりも多数設けた特定ステージ（上段ステージ形成体４１あるいは中段ステージ形成体４２）と、非特定入賞口（第三入賞口５２，５２・・）を特定入賞口（第一入賞口５１ａ，５１ａ・・、第一入賞口５１ｂ，５１ｂ・・、第二入賞口４９，４９・・）より多数設けた非特定ステージ（下段ステージ形成体４３）とが設けられているとともに、入球した遊技球を特定ステージ（上段ステージ形成体４１）へ導くための第一誘導路４７と、入球した遊技球を非特定ステージ（下段ステージ形成体４３）へ導くための第二誘導路４６とが設けられており、一旦、第二誘導路４６を介して非特定ステージ（下段ステージ形成体４３）へ導かれた遊技球を、特定ステージ（中段ステージ形成体４２）へ導くための昇格手段である昇降機構４５を設けたものである。したがって、パチンコ機１は、「大当たり状態」生起時のラウンド回数を決定するための振分部材として機能するラウンド回数振分決定装置３９の作動内容が斬新であるため、趣向性が高く、遊技者の遊技意欲を長期間に亘って高く保持することができる。
【００４１】
また、パチンコ機１は、特定ステージ（中段ステージ形成体４２）が非特定ステージ（下段ステージ形成体４３）よりも上方に設けられており、昇格手段である昇降機構４５が、非特定ステージ（下段ステージ形成体４３）へ導かれた遊技球を特定ステージ（中段ステージ形成体４２）まで上昇させるものであるため、趣向性が非常に高く、遊技者の遊技意欲をきわめて長期間に亘って高く保持することができる。
【００４２】
＜遊技機の変更例＞
本発明のパチンコ機の構成は、上記実施形態の態様に何ら限定されるものではなく、機枠、前面枠、遊技盤、供給皿、貯留皿、発射ハンドル、図柄表示装置、ラウンド回数振分決定装置等の形状、構造、材質等の構成を、本発明の趣旨を逸脱しない範囲で適宜変更することができる。
【００４３】
たとえば、ラウンド回数振分決定装置は、上記実施形態の如く、遊技球を非特定ステージから特定ステージへ昇格させる（上昇させる）昇格機構を設けたものに限定されず、昇格機構のないものでも良い。また、ラウンド回数振分決定装置は、上記実施形態の如く、上段ステージ形成体、中段ステージ形成体および下段ステージ形成体との（特定ステージおよび非特定ステージを含む）３種類のステージを設けたものに限定されず、２種類あるいは４種類以上のステージを設けたものでも良い。加えて、各ステージによって決定されるラウンド回数も、上記実施形態の数値に何ら限定されず、必要に応じて、適宜変更することができる。
【００４４】
なお、特許請求の範囲、明細書および図面に記載される全ての要素（例えば、遊技領域、遊技盤、大型遊技部材、ラウンド回数振分決定装置、制御装置等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、上述した全ての要素のうちの複数の要素を一体的に構成するか、もしくは一つの要素を複数の要素に分けて構成するかは、あえて特許請求の範囲等において特定していない限り、何れも当業者であればきわめて容易に考えられる事項であるため、あえて明細書等において全パターンを記載しなくても何れのパターンも想定範囲内であることが明らかであることから、本発明に係る権利範囲に含まれることに疑いの余地はない。したがって、その程度の範囲内での構成上の差異しかない遊技機を、本実施例に記載がなされていないことを理由にするのみでは、本発明に係る権利を回避したことにはならない。その他、各要素の構成や形状等における、本実施例から当業者であれば容易に考えられる自明な範囲の差異についても同様である。
【符号の説明】
【００４５】
１・・パチンコ機（遊技機）
４・・遊技盤
１１・・大型遊技部材
３１・・ラウンド回数振分決定装置
４１・・上段ステージ形成体（特定ステージ）
４２・・中段ステージ形成体（特定ステージ）
４３・・下段ステージ形成体（非特定ステージ）
４５・・昇降機構（昇格手段）
４６・・第二誘導路
４７・・第一誘導路
４９，４９・・第二入賞口（特定入賞口）
５１ａ，５１ｂ・・第一入賞口（特定入賞口）
５２・・第三入賞口（非特定入賞口）
【図１】
0006738081.tif 000002
【図２】
0006738081.tif 000003
【図３】
0006738081.tif 000004